(57)【要約】【課題】放射線撮影により得られた撮影画像を切り出す際に、操作者による作業の手間の軽減を図る仕組みを提供する。【解決手段】被写体Ｈの放射線撮影を行って撮影画像を得る撮影装置１００において、複数の異なるサイズのクロップ枠に係るクロップ枠情報を記憶するクロップ枠情報記憶部２５１と、前記クロップ枠情報に基づいて、前記撮影画像に重畳させて複数のクロップ枠を表示部２２０に表示する処理を行うクロップ枠表示処理部２３４と、操作者の操作入力に基づいて、表示部２２０に表示された複数のクロップ枠の中から、前記撮影画像に対する切り出し領域として利用するクロップ枠を確定するクロップ枠確定部２３６を備える。【選択図】図２
2015084926.tif 000002
【特許請求の範囲】
【請求項１】
被写体の放射線撮影により得られる撮影画像の処理を行う処理装置であって、
複数の異なるサイズのクロップ枠に係るクロップ枠情報を記憶する記憶手段と、
前記クロップ枠情報に基づいて、前記撮影画像に重畳させて複数のクロップ枠を表示部に表示する処理を行う表示処理手段と、
操作者の操作入力に基づいて、前記表示部に表示された複数のクロップ枠を連動して移動させ、前記複数のクロップ枠の位置調整処理を行う位置調整手段と、
操作者の操作入力に基づいて、前記表示部に表示された複数のクロップ枠の中から、前記撮影画像に対する切り出し領域として利用するクロップ枠を確定する確定手段と、
を有することを特徴とする処理装置。
【請求項２】
前記位置調整手段は、前記複数のクロップ枠のうちの少なくとも１つのクロップ枠が前記撮影画像の端にかかる場合には、前記連動を解除することを特徴とする請求項１に記載の処理装置。
【請求項３】
被写体の放射線撮影により得られる撮影画像の処理を行う処理装置であって、
複数の異なるサイズのクロップ枠に係るクロップ枠情報を記憶する記憶手段と、
前記クロップ枠情報に基づいて、前記撮影画像に重畳させて複数のクロップ枠を表示部に表示する処理を行う表示処理手段と、
操作者の操作入力に基づいて、前記表示部に表示された複数のクロップ枠の中から、前記撮影画像に対する切り出し領域として利用するクロップ枠を確定する確定手段と、
を有することを特徴とする処理装置。
【請求項４】
前記クロップ枠情報は、前記クロップ枠のサイズに係る情報および前記クロップ枠の位置情報のうちの少なくともいずれかを含むことを特徴とする請求項１乃至３のいずれか１項に記載の処理装置。
【請求項５】
前記複数のクロップ枠それぞれに対応して複数設けられて前記表示部に表示され、当該対応するクロップ枠を選択するための選択手段を更に有し、
前記確定手段は、操作者による前記選択手段の選択に基づいて、前記表示部に表示された複数のクロップ枠の中から、当該選択された選択手段に対応するクロップ枠を前記撮影画像に対する切り出し領域として利用するクロップ枠として確定することを特徴とする請求項１乃至４のいずれか１項に記載の処理装置。
【請求項６】
前記選択手段は、前記クロップ枠の位置調整中の場合は非表示となり、前記クロップ枠の位置調整中以外の場合で表示されることを特徴とする請求項５に記載の処理装置。
【請求項７】
前記選択手段は、前記複数のクロップ枠の重なりが最も少ない場所に優先的に表示されることを特徴とする請求項５または６に記載の処理装置。
【請求項８】
前記位置情報は、前記クロップ枠を前記撮影画像の中央に位置させるための情報、前記クロップ枠を前記撮影画像の上、下、左、右のいずれかの位置に寄せるための情報、前記クロップ枠を前記撮影画像の固定座標に位置させるための情報、および、前記撮影画像全体または前記撮影画像の照射野領域を基準とする前記クロップ枠の位置に係る情報のうち、少なくともいずれかを含むことを特徴とする請求項４に記載の処理装置。
【請求項９】
前記位置情報は、前記被写体の撮影手技、または、前記撮影画像を前記切り出し領域で切り出した画像を出力する出力先に応じて設定されることを特徴とする請求項４に記載の処理装置。
【請求項１０】
前記表示処理手段は、前記撮影画像のサイズ以下のクロップ枠のみ、または、前記撮影画像の照射野領域内のクロップ枠のみ、前記撮影画像に重畳させて前記表示部に表示する処理を行うことを特徴とする請求項１乃至９のいずれか１項に記載の処理装置。
【請求項１１】
被写体の放射線撮影により得られる撮影画像の処理を行う処理方法であって、
複数の異なるサイズのクロップ枠に係るクロップ枠情報に基づいて、前記撮影画像に重畳させて複数のクロップ枠を表示部に表示する処理を行う表示処理ステップと、
操作者の操作入力に基づいて、前記表示部に表示された複数のクロップ枠を連動して移動させ、前記複数のクロップ枠の位置調整処理を行う位置調整ステップと、
操作者の操作入力に基づいて、前記表示部に表示された複数のクロップ枠の中から、前記撮影画像に対する切り出し領域として利用するクロップ枠を確定する確定ステップと、
を有することを特徴とする処理方法。
【請求項１２】
前記位置調整ステップでは、前記複数のクロップ枠のうちの少なくとも１つのクロップ枠が前記撮影画像の端にかかる場合には、前記連動を解除することを特徴とする請求項１１に記載の処理方法。
【請求項１３】
被写体の放射線撮影により得られる撮影画像の処理を行う処理方法であって、
複数の異なるサイズのクロップ枠に係るクロップ枠情報に基づいて、前記撮影画像に重畳させて複数のクロップ枠を表示部に表示する処理を行う表示処理手段と、
操作者の操作入力に基づいて、前記表示部に表示された複数のクロップ枠の中から、前記撮影画像に対する切り出し領域として利用するクロップ枠を確定する確定ステップと、
を有することを特徴とする処理方法。
【請求項１４】
請求項１１乃至１３のいずれか１項に記載の処理方法の各ステップをコンピュータに実行させるためのプログラム。
【発明の詳細な説明】
【技術分野】
【０００１】
本発明は、被写体の放射線撮影により得られる撮影画像の処理を行う処理装置及び処理方法、当該処理方法をコンピュータに実行させるためのプログラムに関するものである。なお、本明細書では、本発明における放射線としてＸ線を適用した例について説明を行うが、本発明における放射線は、Ｘ線に限らず、例えば、α線、β線、γ線などの他の放射線も含まれるものとする。
【背景技術】
【０００２】
近年、被写体を透過したＸ線を電気信号に変換し、当該電気信号に基づくデジタルＸ線画像データを出力するフラットパネルディテクタなどのＸ線センサを備えたＸ線撮影装置が普及してきている。
【０００３】
そして、近年では、このＸ線撮影装置で得られたＸ線画像データに基づくＸ線画像を所定のサイズに切り出した後、これを外部の画像保存システム（ＰＡＣＳ）等に送信して、医師または技師による確認が行えるようになっている（下記の特許文献１及び２参照）。
【先行技術文献】
【特許文献】
【０００４】
【特許文献１】特許第４０１８２６０号公報
【特許文献２】特開２００６−２９６９５４号公報
【発明の概要】
【発明が解決しようとする課題】
【０００５】
従来、Ｘ線画像を切り出す際に、モニタに表示されたＸ線画像上において切り出し領域を操作者が手作業で指定して、Ｘ線画像を切り出すことが行われている。
しかしながら、この場合、操作者にとって作業の手間がかかるという課題があった。
【０００６】
その他、従来、Ｘ線画像を切り出す際に、予め一般的な切り出しサイズを登録しておき、その切り出し領域を示すクロップ枠をＸ線画像に重ね合わせて表示し、操作者が適切なサイズのクロップ枠を決定して、Ｘ線画像を切り出すことも行われている。
この場合、操作者が最初に選択したクロップ枠のサイズが切り出しサイズとしてやや小さいときには、操作者がより大きいサイズのクロップ枠を選び直して、Ｘ線画像に重ね合わせて表示させ、その後、操作者が表示されたクロップ枠の位置調整を行って切り出し領域を決定することになる。すなわち、この場合、適切な切り出し領域を決定するために、操作者は、クロップ枠の再選択及びその位置調整を繰り返し行う作業が必要となり、操作者にとって作業の手間がかかるという課題があった。
【０００７】
本発明は、このような問題点に鑑みてなされたものであり、放射線撮影により得られた撮影画像を切り出す際に、操作者による作業の手間の軽減を図る仕組みを提供することを目的とする。
【課題を解決するための手段】
【０００８】
本発明の処理装置は、被写体の放射線撮影により得られる撮影画像の処理を行う処理装置であって、複数の異なるサイズのクロップ枠に係るクロップ枠情報を記憶する記憶手段と、前記クロップ枠情報に基づいて、前記撮影画像に重畳させて複数のクロップ枠を表示部に表示する処理を行う表示処理手段と、操作者の操作入力に基づいて、前記表示部に表示された複数のクロップ枠を連動して移動させ、前記複数のクロップ枠の位置調整処理を行う位置調整手段と、操作者の操作入力に基づいて、前記表示部に表示された複数のクロップ枠の中から、前記撮影画像に対する切り出し領域として利用するクロップ枠を確定する確定手段と、を有する。
本発明の処理装置における他の態様は、被写体の放射線撮影により得られる撮影画像の処理を行う処理装置であって、複数の異なるサイズのクロップ枠に係るクロップ枠情報を記憶する記憶手段と、前記クロップ枠情報に基づいて、前記撮影画像に重畳させて複数のクロップ枠を表示部に表示する処理を行う表示処理手段と、操作者の操作入力に基づいて、前記表示部に表示された複数のクロップ枠の中から、前記撮影画像に対する切り出し領域として利用するクロップ枠を確定する確定手段と、を有する。
また、本発明は、上述した処理装置の処理方法、及び、当該処理方法をコンピュータに実行させるためのプログラムを含む。
【発明の効果】
【０００９】
本発明によれば、放射線撮影により得られた撮影画像を切り出す際に、操作者による作業の手間の軽減を図ることができる。
【図面の簡単な説明】
【００１０】
【図１】本発明の第１の実施形態に係るＸ線撮影装置のハードウェア構成の一例を示すブロック図である。
【図２】本発明の第１の実施形態に係るＸ線撮影装置の機能構成の一例を示すブロック図である。
【図３】本発明の第１の実施形態に係るＸ線撮影装置の作動方法の処理手順の一例を示すフローチャートである。
【図４】本発明の第１の実施形態を示し、図２の表示部のモニタに重畳表示されたＸ線画像と複数のクロップ枠とを含むＧＵＩ画面の一例を示す模式図である。
【図５】本発明の第２の実施形態を示し、図２の表示部のモニタに重畳表示されたＸ線画像と複数のクロップ枠とを含むＧＵＩ画面の一例を示す模式図である。
【図６】本発明の第３の実施形態を示し、図２の表示部のモニタに重畳表示されたＸ線画像と複数のクロップ枠とを含むＧＵＩ画面の一部分の一例を示す模式図である。
【図７】本発明の第４の実施形態を示し、図２の表示部のモニタに重畳表示されたＸ線画像と複数のクロップ枠とを含むＧＵＩ画面の一部分の一例を示す模式図である。
【発明を実施するための形態】
【００１１】
以下に、図面を参照しながら、本発明を実施するための形態（実施形態）について説明する。
【００１２】
（第１の実施形態）
まず、本発明の第１の実施形態について説明する。
図１は、本発明の第１の実施形態に係るＸ線撮影装置（放射線撮影装置）のハードウェア構成の一例を示すブロック図である。
【００１３】
図１に示すように、本実施形態に係るＸ線撮影装置１００は、制御部１１０、Ｘ線発生部１２０、センサ部１３０、表示部１４０、及び、操作部１５０のハードウェア構成を有している。
【００１４】
制御部１１０は、本実施形態に係るＸ線撮影装置１００の動作を統括的に制御する。この制御部１１０は、図１に示すように、ＣＰＵ１１１、ＲＯＭ１１２、ＲＡＭ１１３、ＬＡＮ・ＩＦ１１４、ＤＩＳＫ・ＩＦ１１５、不揮発性メモリ１１６、及び、システムバス１１７のハードウェア構成を有している。このように、制御部１１０は、一般的なコンピュータの構成を備えている。なお、この制御部１１０を「制御装置」として構成するようにしてもよい。
【００１５】
ＣＰＵ１１１は、例えば、ＲＯＭ１１２或いは不揮発性メモリ１１６に記憶されたプログラムやデータや情報を用いて、Ｘ線撮影装置１００全体の制御を行う。
【００１６】
ＲＯＭ１１２は、変更を必要としないプログラムや各種のデータや各種のパラメータ等の情報などを格納している。
【００１７】
ＲＡＭ１１３は、ＲＯＭ１１２或いは不揮発性メモリ１１６からロードされたプログラムやデータや情報を一時的に記憶するエリアを備えるとともに、ＣＰＵ１１１が各種の処理を行うために必要とするワークエリアを備える。
【００１８】
ＬＡＮ・ＩＦ１１４は、当該Ｘ線撮影装置１００と外部装置Ｇとの間で行われる各種の情報や各種の信号等の送受信を司るものである。
【００１９】
ＤＩＳＫ・ＩＦ１１５は、不図示のディスクとの通信を司るものである。
【００２０】
不揮発性メモリ１１６は、例えば、オペレーティングシステム（ＯＳ）やＣＰＵ１１１が実行するプログラム、更には、本実施形態の説明において既知としているデータや情報などを記憶している。なお、本実施形態においては、本発明に係る処理を実行するためのプログラムは、この不揮発性メモリ１１６に記憶されているものとするが、例えばＲＯＭ１１２に記憶されている形態であっても適用可能である。
【００２１】
システムバス１１７は、ＣＰＵ１１１、ＲＯＭ１１２、ＲＡＭ１１３、ＬＡＮ・ＩＦ１１４、ＤＩＳＫ・ＩＦ１１５、及び、不揮発性メモリ１１６を相互に通信可能に接続する。
【００２２】
Ｘ線発生部１２０は、制御部１１０（ＣＰＵ１１１）の制御に基づいて、被写体Ｈに対して、Ｘ線１２１ａを照射する。
【００２３】
センサ部１３０は、被写体Ｈを透過したＸ線１２１ｂを検知してこれを電気信号に変換し、当該電気信号に基づくデジタルＸ線画像データ（デジタル放射線画像データ）を制御部１１０に出力する。
【００２４】
表示部１４０は、例えば、ＣＲＴや液晶ディスプレイなどの一般的なモニタを備えて構成されている。表示部１４０は、制御部１１０（ＣＰＵ１１１）の制御に基づいて、各種の撮影画像（例えば、センサ部１３０から出力されたデジタルＸ線画像データに基づくＸ線画像）や各種の情報、ＧＵＩ（グラフィカルユーザインタフェース）などをモニタに表示する。また、表示部１４０のモニタとして、タッチパネルのように操作部１５０の入力機能を兼ね備えたものも適用可能である。
【００２５】
操作部１５０は、例えば、マウス、キーボード、Ｘ線照射スイッチなどの入力デバイスによって構成され、操作者が制御部１１０に対して各種のコマンドや各種の情報などを入力するために使用される。制御部１１０は、操作部１５０からの操作入力に基づいて、Ｘ線発生部１２０、センサ部１３０、及び、表示部１４０の駆動制御を行う。また、制御部１１０は、補正データやＸ線撮影条件データ、Ｘ線画像データなどの各種のデータを管理する。
【００２６】
また、外部装置Ｇは、Ｘ線撮影装置１００との間で各種の情報や各種の信号等の送受信を行う。例えば、外部装置Ｇは、Ｘ線撮影装置１００から送信されたＸ線画像データを保存や表示するための装置であり、より一般的には、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）や、ＤＩＣＯＭビューワとして実現されるものである。
【００２７】
図２は、本発明の第１の実施形態に係るＸ線撮影装置（放射線撮影装置）の機能構成の一例を示すブロック図である。
【００２８】
図２に示すように、本実施形態に係るＸ線撮影装置１００は、操作指示入力部２１０、表示部２２０、情報処理・制御部２３０、Ｘ線撮影部２４０、記憶部２５０、及び、通信部２６０の機能構成を有している。ここで、情報処理・制御部２３０及び記憶部２５０は、「処理装置」を構成する。
【００２９】
ここで、図１に示すＸ線撮影装置１００のハードウェア構成と、図２に示すＸ線撮影装置１００の機能構成との対応関係の一例について以下に示す。
例えば、図１に示す操作部１５０から、図２に示す操作指示入力部２１０が構成される。また、例えば、図１に示す表示部１４０から、図２に示す表示部２２０が構成される。また、例えば、図１に示すＣＰＵ１１１及び不揮発性メモリ１１６内に記憶されているプログラム、並びに、ＲＡＭ１１３から、図２に示す情報処理・制御部２３０が構成される。また、例えば、図１に示すＸ線発生部１２０及びセンサ部１３０から、図２に示すＸ線撮影部２４０が構成される。また、例えば、図１に示す不揮発性メモリ１１６から、図２に示す記憶部２５０が構成される。また、例えば、図１に示すＬＡＮ・ＩＦ１１４から、図２に示す通信部２６０が構成される。
【００３０】
続いて、図２に示す各機能構成について説明する。
操作指示入力部２１０は、操作者によるＸ線撮影に伴う各種の操作指示の入力を受け付けるものである。例えば、操作指示入力部２１０は、被写体Ｈに係る患者情報や検査情報などの入力を行う他、Ｘ線画像の切り出し領域の指定やクロップ枠の選択などを行う。ここで、クロップ枠とは、Ｘ線画像（放射線画像）の切り出し領域を示すためにＸ線画像に重ね合わせて表示される矩形の枠を意味する。
【００３１】
表示部２２０は、Ｘ線撮影部２４０によるＸ線撮影で得られた撮影画像（Ｘ線画像）をモニタに表示する他、当該撮影画像の切り出しサイズを定めるクロップ枠を含めたＧＵＩもモニタに表示する。
【００３２】
情報処理・制御部２３０は、操作指示入力部２１０から入力された情報などに基づいて、Ｘ線撮影部２４０を制御して被写体ＨのＸ線撮影を行う他、Ｘ線撮影により得られたＸ線画像に対して指定されたクロップ枠で切り出し処理を行うなどの各種の処理を行う。この情報処理・制御部２３０は、クロップ枠情報読み出し部２３１、Ｘ線画像取得部２３２、Ｘ線画像表示処理部２３３、クロップ枠表示処理部２３４、クロップ枠位置調整部２３５、及び、クロップ枠確定部２３６を有して構成されている。
【００３３】
クロップ枠情報読み出し部２３１は、記憶部２５０内のクロップ枠情報記憶部２５１に記憶されている複数のクロップ枠情報を読み出す処理を行う。
【００３４】
Ｘ線画像取得部２３２は、Ｘ線撮影部２４０から、被写体ＨのＸ線撮影により得られたＸ線画像データを取得する処理を行う。
【００３５】
Ｘ線画像表示処理部２３３は、Ｘ線画像取得部２３２で取得したＸ線画像データに基づくＸ線画像を表示部２２０のモニタに表示する処理を行う。
【００３６】
クロップ枠表示処理部２３４は、クロップ枠情報読み出し部２３１で読み出した複数のクロップ枠情報に基づく複数のクロップ枠を、表示部２２０のモニタに表示されたＸ線画像に重畳して表示する処理を行う。
【００３７】
クロップ枠位置調整部２３５は、操作指示入力部２１０から入力された情報に基づいて、表示部２２０のモニタに表示されたクロップ枠の位置調整処理を行う。
【００３８】
クロップ枠確定部２３６は、操作指示入力部２１０から入力された情報に基づいて、表示部２２０のモニタに表示されている複数のクロップ枠の中から、Ｘ線画像に対する最終的な切り出し領域として利用するクロップ枠を確定する処理を行う。
【００３９】
Ｘ線撮影部２４０は、情報処理・制御部２３０の制御に基づいて、被写体Ｈに対してＸ線を照射するとともに、被写体Ｈを透過したＸ線を検知してこれを電気信号に変換し、当該電気信号に基づくデジタルＸ線画像データを生成する処理を行う。
【００４０】
記憶部２５０は、複数の異なるサイズのクロップ枠に係るクロップ枠情報を記憶するクロップ枠情報記憶部２５１を備えている。記憶部２５０は、クロップ枠情報を記憶する他、必要に応じて、Ｘ線撮影部２４０のＸ線撮影により得られたＸ線画像データを記憶するとともに、当該Ｘ線画像データを画像処理する際の画像処理パラメータや、Ｘ線撮影部２４０のセンサ部のキャリブレーションデータなどのＸ線撮影に必要な各種のデータを記憶する。
【００４１】
通信部２６０は、情報処理・制御部２３０の制御に基づいて、各種の画像処理が施されたＸ線画像データ（クロップ枠確定部２３６で確定させたクロップ枠で撮影画像を切り出した切り出し画像に係るＸ線画像データも含む）を外部装置Ｇに対して送信する処理を行う。
【００４２】
次に、本実施形態に係るＸ線撮影装置１００の作動方法の一例について説明を行う。
図３は、本発明の第１の実施形態に係るＸ線撮影装置の作動方法の処理手順の一例を示すフローチャートである。ここで、図３に示すフローチャートでは、Ｘ線撮影の開始から、撮影画像に対して複数のクロップ枠を表示し、その中から最終切り出し領域としてのクロップ枠が決定されるまでの典型的な処理手順を示している。図３に示すフローチャートの前提として、クロップ枠情報記憶部２５１には、予め複数の異なるサイズのクロップ枠に係るクロップ枠情報が登録されているものとする。
なお、画像を固定サイズに切り出す理由としては、ＰＡＣＳやビューワで画像を診断する際に、不要な領域（素抜け部分、コリメーション領域）は極力除外することが求められることに加え、画像が常に一定の拡大率でモニタ上に表示されることが要求されるためである。しかしながら、一定のサイズで出力されることが望まれる一方で、被験者の体格が大きい場合などはそのサイズに収まらない場合もある。このような場合には、サイズを固定するよりも、診断に必要な部分が画像に写しこまれることを優先し、より大きな切り出しサイズへ変更するといった運用がされている。このような場合は、太っている被験者の場合で稀に発生するが、ほとんどは横方向へサイズを大きくすれば収まる（例えば、１４インチ×１７インチを１７インチ×１７インチに変更するなど）ことが多く、最終的な画像としては縦方向のサイズは一定であるように切り出すため、ビューワで表示する際も、ランドスケープモニタであれば、拡大率が変更されることは少ないと考えられる。
【００４３】
まず、ステップＳ３０１において、クロップ枠情報読み出し部２３１は、記憶部２５０内のクロップ枠情報記憶部２５１に記憶されている複数のクロップ枠情報を読み出す処理を行う。このクロップ枠情報の読み出し処理は、Ｘ線撮影（Ｓ３０２）の直前である必要はなく、クロップ枠表示（Ｓ３０４）の前であれば、いかなるタイミングであってもよい。
【００４４】
続いて、ステップＳ３０２において、Ｘ線撮影部２４０は、情報処理・制御部２３０の制御に基づいて、被写体ＨのＸ線撮影を行う。ここでは、操作者が曝射ボタンやフットスイッチ等でＸ線撮影開始の指示をすると、操作指示入力部２１０から情報処理・制御部２３０にその指示情報が入力され、情報処理・制御部２３０では、操作指示入力部２１０からＸ線撮影開始の指示情報が入力されると、これを検知して、検知したタイミングでＸ線撮影部２４０に被写体ＨのＸ線撮影を行わせる制御をする。具体的に、Ｘ線撮影部２４０は、被写体Ｈに対してＸ線を照射するとともに、被写体Ｈを透過したＸ線を検知してこれを電気信号に変換し、当該電気信号に基づくデジタルＸ線画像データを生成する処理を行う。その後、Ｘ線画像取得部２３２は、Ｘ線撮影部２４０から、被写体ＨのＸ線撮影により得られたＸ線画像データを取得する処理を行う。
【００４５】
続いて、ステップＳ３０３において、Ｘ線画像表示処理部２３３は、Ｘ線画像取得部２３２で取得したＸ線画像データに基づくＸ線画像を表示部２２０のモニタに表示する処理を行う。
【００４６】
続いて、ステップＳ３０４において、クロップ枠表示処理部２３４は、クロップ枠情報読み出し部２３１で読み出した複数のクロップ枠情報に基づく複数のクロップ枠を、その設定情報に基づいて、表示部２２０のモニタに表示されたＸ線画像に重畳して表示する処理を行う。例えば、ステップＳ３０１で読み出したクロップ枠情報が２つのクロップ枠の情報であった場合には、Ｘ線画像（撮影画像）に対して２つのクロップ枠が同時に表示される。
【００４７】
続いて、ステップＳ３０５において、クロップ枠位置調整部２３５は、操作指示入力部２１０から入力された情報に基づいて、表示部２２０のモニタに表示されたクロップ枠の位置調整処理を行う。この際、操作指示入力部２１０を介した操作者の指示は、マウスやタッチパネルによるドラッグアンドドロップ操作や、ＧＵＩとして表示される移動ボタンのクリック操作などによって行われる。もちろん、クロップ枠の位置調整が不要の場合には、本ステップを省略することができる。なお、本実施形態のようにクロップ枠が複数表示されている場合、この操作者による操作によって複数のクロップ枠が同時に移動する。
【００４８】
続いて、ステップＳ３０６において、クロップ枠確定部２３６は、操作指示入力部２１０から入力された情報に基づいて、表示部２２０のモニタに表示されている複数のクロップ枠の中から、Ｘ線画像に対する最終的な切り出し領域として利用するクロップ枠を確定する処理を行う。具体的には、操作者がマウスやタッチパネル等で各クロップ枠を選択するための選択手段をクリックして選択すると、操作指示入力部２１０から情報処理・制御部２３０にそのクリックされたクロップ枠の情報が入力され、クロップ枠確定部２３６では、当該クリックされたクロップ枠を、Ｘ線画像に対する最終的な切り出し領域として利用するクロップ枠として確定する処理を行う。ここで、前記選択手段は、表示部２２０のモニタに表示されている複数のクロップ枠それぞれに対応して複数設けられて表示部２２０のモニタに表示されるものである。
【００４９】
その後、情報処理・制御部２３０は、クロップ枠確定部２３６で確定したクロップ枠に基づいて、ステップＳ３０２のＸ線撮影により得られたＸ線画像の切り出し処理を行う。そして、通信部２６０は、切り出し処理が施されたＸ線画像データを外部装置Ｇに送信する処理を行う。
以上の処理を経て、図３に示すフローチャートの処理が終了する。
【００５０】
図４は、本発明の第１の実施形態を示し、図２の表示部２２０のモニタに重畳表示されたＸ線画像と複数のクロップ枠とを含むＧＵＩ画面の一例を示す模式図である。
ＧＵＩ画面４００には、図４に示すように、画像表示領域４１０、患者情報表示領域４２０、撮影プロトコル表示領域４３０、クロップ枠調整・選択ツール表示領域４４０、及び、検査終了ボタン４５０が設けられている。
【００５１】
画像表示領域４１０には、Ｘ線撮影により得られたＸ線画像４１１が表示されている。また、このＸ線画像４１１に重畳して、複数のクロップ枠４１２が表示されている。具体的に、図４に示す例では、１４インチ（１４ｉｎ）×１４インチ（１４ｉｎ）のクロップ枠４１２−１と、１４インチ（１４ｉｎ）×１７インチ（１７ｉｎ）のクロップ枠４１２−２との２つのクロップ枠が同時に表示されている。なお、図４に示す例では、２つのクロップ枠４１２−１〜４１２−２の表示位置は、Ｘ線画像４１１の中央としている。また、図４に示す例では、クロップ枠４１２−１〜４１２−２は、２つの異なるサイズのものであり、いずれのクロップ枠４１２もＸ線画像４１１のサイズと同等もしくはそれ未満のサイズであるため、２つのクロップ枠が表示されている。この点に関して、例えば、Ｘ線撮影部２４０のセンサ部（図１のセンサ部１３０）が小さいなどの理由により、クロップ枠４１２のうち、Ｘ線画像４１１のサイズよりも大きいサイズのクロック枠がある場合には、当該クロップ枠は、Ｘ線画像４１１を切り出すことができない意味のないものであるため、本実施形態においては非表示とすることが望ましい。即ち、この場合、Ｘ線画像４１１（撮影画像）のサイズ以下のクロップ枠４１２のみ表示されることになる。
【００５２】
患者情報表示領域４２０には、現在撮影中の被写体Ｈの患者情報が表示される。具体的に、図４に示す例では、患者情報として、患者ＩＤ、患者名、生年月日等が表示されている。ここで、患者情報として、性別も表示してもよい。
【００５３】
撮影プロトコル表示領域４３０には、本検査で撮影すべき撮影手技がボタンとして表示される。具体的に、図４に示す例では、「胸部ＡＰ」という撮影手技のボタンが１つ表示されており、Ｘ線画像４１１が取得された直後の状態を示している。
【００５４】
クロップ枠調整・選択ツール表示領域４４０は、画像表示領域４１０に表示されたクロップ枠４１２の移動などの調整を行うための調整ボタン４４１〜４４４やクロップ枠４１２を切り出し領域として選択するための選択ボタン（選択手段）４４５〜４４６などが表示される。ここで、調整ボタン４４１〜４４４は、それぞれ、クロップ枠４１２を上、右、下、左に移動させるためのボタンである。ここで、本実施形態では、各調整ボタン４４１〜４４４は、画像表示領域４１０に表示されたクロップ枠４１２を所定の方向に連動させて移動させるものとするが、複数のクロップ枠４１２のうちの少なくとも１つのクロップ枠がＸ線画像４１１の端にかかる場合には、前記連動を解除するものとする。例えば、Ｘ線画像４１１の端にかかるクロップ枠の移動を部分的に解除するものとする。また、選択ボタン４４５は、画像表示領域４１０に表示されたクロップ枠４１２−１を切り出し領域として選択するためのボタンであり、選択ボタン４４６は、画像表示領域４１０に表示されたクロップ枠４１２−２を切り出し領域として選択するためのボタンである。さらに、クロップ枠調整・選択ツール表示領域４４０は、最後に確定したクロップ枠４１２を取り消すためのリセットボタン４４７も表示される。
【００５５】
また、画像表示領域４１０に表示されたクロップ枠４１２−１〜４１２−２には、それぞれ、当該クロップ枠を切り出し領域として選択するための選択領域（選択手段）４１３−１〜４１３−２が設けられている。即ち、選択領域４１３−１は、クロップ枠４１２−１を切り出し領域として選択するための選択領域であり、選択領域４１３−２は、クロップ枠４１２−２を切り出し領域として選択するための選択領域である。選択領域４１３−１〜４１３−２は、それぞれ、選択ボタン４４５〜４４６と同じ機能を有している。また、選択領域４１３−１〜４１３−２は、例えば、クロップ枠位置調整部２３５によるクロップ枠の位置調整中の場合には非表示となり、当該位置調整中以外の場合で表示される。操作者は、選択領域４１３をマウスでクリックまたはダブルクリックすることにより、最終的な切り出し領域として利用するクロップ枠を選択することができるようになっている。この図４に示すように、クロップ枠調整・選択ツール表示領域４４０に表示される選択ボタン４４５〜４４６の他に、Ｘ線画像４１１上にクロップ枠４１２を選択するための選択領域４１３を設ける理由としては、クロップ枠４１２の確定操作を直感的に行えることと、例えば位置調整をするためにＸ線画像４１１を操作した後、最終的な切り出し領域として利用するクロップ枠を選択する際に、手の移動を極力少なくするためである。なお、図４に示す状態は、最終的な切り出し領域として利用するクロップ枠の確定前の状態であり、最終的な切り出し領域として利用するクロップ枠が確定すると、当該確定したクロップ枠のみが画像表示領域４１０に表示される。
【００５６】
検査終了ボタン４５０は、検査を終了するためのボタンである。
【００５７】
以上のように、本実施形態によれば、複数のクロップ枠を撮影画像に重畳表示することによって、クロップ枠の切り替え操作を必要とせずに、最終的な切り出し領域として利用するクロップ枠を確定することができる。これにより、撮影により得られた撮影画像を切り出す際に、操作者による作業の手間の軽減を図ることができる。
【００５８】
（第２の実施形態）
次に、本発明の第２の実施形態について説明する。
第２の実施形態では、クロップ枠に係るクロップ枠情報を事前登録する際に、位置情報も合わせて設定する形態である。この場合、クロップ枠情報は、クロップ枠のサイズに係る情報及びクロップ枠の位置情報を含むものとなる。
【００５９】
図５は、本発明の第２の実施形態を示し、図２の表示部２２０のモニタに重畳表示されたＸ線画像と複数のクロップ枠とを含むＧＵＩ画面の一例を示す模式図である。
具体的に、図５（ａ）には、３つのクロップ枠５１２−１〜５１２−３の設定をＸ線画像５１１の下寄せで設定した場合の、Ｘ線撮影直後のＧＵＩ画面の様子を示している。
【００６０】
ＧＵＩ画面５００には、図５（ａ）に示すように、画像表示領域５１０、患者情報表示領域５２０、撮影プロトコル表示領域５３０、クロップ枠調整・選択ツール表示領域５４０、及び、検査終了ボタン５５０が設けられている。
【００６１】
画像表示領域５１０には、Ｘ線撮影により得られたＸ線画像５１１が表示されている。また、このＸ線画像５１１に重畳して、９インチ（９ｉｎ）×９インチ（９ｉｎ）のクロップ枠５１２−１と、１１インチ（１１ｉｎ）×１１インチ（１１ｉｎ）のクロップ枠５１２−２と、１４インチ（１４ｉｎ）×１４インチ（１４ｉｎ）のクロップ枠５１２−３との３つのクロップ枠が同時に表示されている。また、画像表示領域５１０に表示されたクロップ枠５１２−１〜５１２−３には、それぞれ、当該クロップ枠を切り出し領域として選択するための選択領域（選択手段）５１３−１〜５１３−３が設けられている。
【００６２】
患者情報表示領域５２０には、現在撮影中の被写体Ｈの患者情報が表示される。
【００６３】
撮影プロトコル表示領域５３０には、本検査で撮影すべき撮影手技がボタンとして表示される。具体的に、図５（ａ）に示す例では、「ＨＡＮＤ」という撮影手技のボタンが１つ表示されており、Ｘ線画像５１１が取得された直後の状態を示している。
【００６４】
クロップ枠調整・選択ツール表示領域５４０は、画像表示領域５１０に表示されたクロップ枠５１２の移動などの調整を行うための調整ボタン５４１〜５４４やクロップ枠５１２を切り出し領域として選択するための選択ボタン（選択手段）５４５〜５４７などが表示される。ここで、調整ボタン５４１〜５４４は、それぞれ、クロップ枠５１２を上、右、下、左に移動させるためのボタンである。また、選択ボタン５４５は、画像表示領域５１０に表示されたクロップ枠５１２−１を切り出し領域として選択するためのボタンであり、選択ボタン５４６は、画像表示領域５１０に表示されたクロップ枠５１２−２を切り出し領域として選択するためのボタンであり、選択ボタン５４７は、画像表示領域５１０に表示されたクロップ枠５１２−３を切り出し領域として選択するためのボタンである。さらに、クロップ枠調整・選択ツール表示領域５４０は、最後に確定したクロップ枠５１２を取り消すためのリセットボタン５４８も表示される。
【００６５】
検査終了ボタン５５０は、検査を終了するためのボタンである。
【００６６】
図５（ａ）には、上述したように、サイズが９インチ角のクロップ枠５１２−１、サイズが１１インチ角のクロップ枠５１２−２、及び、サイズが１４インチ角のクロップ枠５１２−３の３つのクロップ枠がＸ線画像５１１に重畳して表示されている。さらに、図５（ａ）には、それぞれのクロップ枠５１２−１〜５１２−３がＸ線画像５１１に対して下寄せに表示されている。これは、撮影プロトコル表示領域５３０に表示されている「ＨＡＮＤ」という撮影プロトコルに対して、クロップ枠５１２を下寄せに設定することによって実現する。このように、撮影プロトコルに対して、クロップ枠の位置を予め設定しておくことによって、撮影直後に表示されるクロップ枠５１２の位置を撮影の手技に適した形で表示できるため、クロップ枠５１２の位置調整の手間も低減させることが可能となる。
【００６７】
図５（ａ）においては、表示された３つクロップ枠５１２−１〜５１２−３のうち、一目でサイズが１１インチ角のクロップ枠５１２−２でＸ線画像５１１を切り出すことが適していると分かる。そのため、操作者は、各クロップ枠５１２−１〜５１２−３に設けられた選択領域５１３−１〜５１３−３の中から、１１インチ角の選択領域５１３−２をクリックする、或いは、選択ボタン５４６をクリックすることにより、簡単に、最終的な切り出し領域として利用するクロップ枠を決定することが可能となる。
【００６８】
図５（ｂ）は、１１インチ角のクロップ枠５１２−２が最終的な切り出し領域として利用するクロップ枠として確定された後の状態を示している。
【００６９】
なお、図５に示す例では、クロップ枠５１２を下寄せする例を示したが、位置情報による位置設定の場所は、下寄せに限るものではなく、上、下、左、右、中央、右上、右下、左下、右下を含め、固定座標を用いて設定してもよい。さらに、表示位置の基準として撮影画像全体を基準にすることも撮影画像の照射野領域を基準にすることも可能である。例えば、照射野領域を基準とした場合には、クロップ枠５１２は照射野領域に合わせた表示位置で表示され、その際に、照射野領域を超えたサイズのクロップ枠５１２は利用される可能性が低いため、非表示とすることが好ましい。即ち、この場合、撮影画像の照射野領域内のクロップ枠５１２のみが表示されることになる。
【００７０】
（第３の実施形態）
次に、本発明の第３の実施形態について説明する。
【００７１】
図６は、本発明の第３の実施形態を示し、図２の表示部２２０のモニタに重畳表示されたＸ線画像と複数のクロップ枠とを含むＧＵＩ画面の一部分の一例を示す模式図である。
図６には、ＧＵＩ画面のうち、Ｘ線画像６１１と、当該Ｘ線画像に重畳表示された３つのクロップ枠６１２−１〜６１２−３及び選択領域６１３−１〜６１３−３の部分のみ図示している。
【００７２】
撮影後に表示された複数のクロップ枠６１２は、ドラッグ操作や、図４に示すクロップ枠調整・選択ツール表示領域４４０の調整ボタン４４１〜４４４（図５も同様）によって、位置調整することができる。
【００７３】
このクロップ枠６１２の位置調整中では、選択領域６１３−１〜６１３−３がＸ線画像６１１上に存在すると位置調整の妨げとなるため、背景のＸ線画像６１１が確認できるように非表示とするか、透過色とするのが望ましい。このクロップ枠６１２の位置調整は、複数のクロップ枠を同時に動かすことも個別に動かすことも可能である。例えば、クロップ枠の重なっている領域をドラッグした場合には、重なっているクロップ枠が同時に移動し、重なりのない部分をドラッグした場合にはその部分の領域が含まれているクロップ枠のみが移動するようなことが可能である。さらに、選択領域６１３をドラッグすることによって個別に移動することも可能であるし、クロップ枠６１２そのものをドラッグすることで、そのクロップ枠のみを移動するなどの方法も考えられる。
【００７４】
図６に示す例は、クロップ枠６１２−１〜６１２−３がＸ線画像６１１の上端まで移動した状態を示している。クロップ枠６１２は、Ｘ線画像６１１を切り出す目的のために利用するものであるので、Ｘ線画像６１１内でのみ移動可能とするのが望ましい。さらに、図６に示すように、選択領域６１３の表示場所は、クロップ枠６１２の重なりが最も少ない場所（図６に示す例では各クロップ枠の右下）に優先的に表示するようにすることにより、確定操作を行いやすくする。この選択領域６１３の表示場所の決定方法は、例えば、クロップ枠６１２の各頂点の座標を算出し、各頂点の距離が最も離れている場所に優先的に表示するような処理によって実現するなどが考えられる。
【００７５】
（第４の実施形態）
次に、本発明の第４の実施形態について説明する。
上述した第２の実施形態では、クロップ枠の設定を撮影プロトコルごとに設定する例を示したが、出力先（外部装置Ｇの種類）ごとに設定することも可能である。
【００７６】
図７は、本発明の第４の実施形態を示し、図２の表示部２２０のモニタに重畳表示されたＸ線画像と複数のクロップ枠とを含むＧＵＩ画面の一部分の一例を示す模式図である。
図７には、ＧＵＩ画面のうち、画像表示領域７１０の部分のみ図示している。この画像表示領域７１０には、Ｘ線画像７１１と、当該Ｘ線画像に重畳表示された２つのクロップ枠７１２−１〜７１２−２及び選択領域７１３−１〜７１３−２が表示されている。ここで、選択領域７１３−１〜７１３−２には、それぞれ、各クロップ枠７１２で切り出されたＸ線画像の出力先を示すアイコン７１４〜７１５が設けられている。
【００７７】
アイコン７１４は、クロップ枠７１２−１で切り出されたＸ線画像の出力先がＰＡＣＳであり、アイコン７１５は、クロップ枠７１２−２で切り出されたＸ線画像の出力先がプリンタであることを示している。なお、この出力先は、ＧＵＩ画面上で任意に変更することも可能であり、例えば、アイコン７１４をプリンタに変更する、アイコン７１５をＰＡＣＳに変更するなども可能である。例えば、ＧＵＩ画面において、アイコンをダブルクリックするなどして、出力先変更設定画面（不図示）を呼び出し、その出力先変更設定画面上で出力先を変更することが可能である。なお、出力先は、ＰＡＣＳやプリンタに限るものではなく、ローカルディスクや、ＣＤ、ＤＶＤ、ＵＳＢなどの可搬媒体なども含み、いかなる出力先であってもかまわない。
【００７８】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
このプログラム及び当該プログラムを記憶したコンピュータ読み取り可能な記録媒体は、本発明に含まれる。
【００７９】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００８０】
１００：Ｘ線撮影装置、２１０：操作指示入力部、２２０：表示部、２３０：情報処理・制御部、２３１：クロップ枠情報読み出し部、２３２：Ｘ線画像取得部、２３３：Ｘ線画像表示処理部、２３４：クロップ枠表示処理部、２３５：クロップ枠位置調整部、２３６：クロップ枠確定部２３６、２４０：Ｘ線撮影部、２５０：記憶部、２５１：クロップ枠情報記憶部、２６０：通信部、Ｈ：被写体、Ｇ：外部装置
【図１】
2015084926.tif 000003
【図２】
2015084926.tif 000004
【図３】
2015084926.tif 000005
【図４】
2015084926.tif 000006
【図５】
2015084926.tif 000007
【図６】
2015084926.tif 000008
【図７】
2015084926.tif 000009